(57)【要約】【課題】集音する際、筐体内の動作に伴う動作音を抑制する。【解決手段】音声を集音して第１音声信号を出力する第１集音部を有する筐体と、前記筐体内の動作に伴う動作音が発生するとき、前記第１音声信号のレベルを調整パラメータに基づいて所定レベル下げるとともに、前記筐体に装着される第２集音部から出力される第２音声信号に基づいて前記所定レベル分を補うよう調整する第１レベル調整部と、前記第２音声信号と前記第１レベル調整部により調整された前記第１音声信号とに基づいて出力信号を生成する出力信号生成部とを備える。【選択図】図２
2011109650.tif 000002
【特許請求の範囲】
【請求項１】
音声を集音して第１音声信号を出力する第１集音部を有する筐体と、
前記筐体内の動作に伴う動作音が発生するとき、前記第１音声信号のレベルを調整パラメータに基づいて所定レベル下げるとともに、前記筐体に装着される第２集音部から出力される第２音声信号に基づいて前記所定レベル分を補うよう調整する第１レベル調整部と、
前記第２音声信号と前記第１レベル調整部により調整された前記第１音声信号とに基づいて出力信号を生成する出力信号生成部とを備えること
を特徴とする音声制御装置。
【請求項２】
請求項１に記載の音声制御装置において、
前記第１レベル調整部による調整が行われる前に、前記第１音声信号のレベルと前記第２音声信号のレベルとが略同一となるように調整する第２レベル調整部をさらに備えること
を特徴とする音声制御装置。
【請求項３】
請求項１または請求項２に記載の音声制御装置において、
前記調整パラメータは、前記動作音を発生する音源ごとに予め定められていること
を特徴とする音声制御装置。
【請求項４】
請求項１から請求項３のいずれか一項に記載の音声制御装置と、
被写体を撮像して画像信号を出力する撮像部と、
前記撮像部から出力される前記画像信号と、前記撮像部により撮像する際に前記音声制御装置により出力される前記出力信号とを関連付けて記録媒体に記録する記録手段とを備えること
を特徴とする撮像装置。
【請求項５】
請求項４に記載の撮像装置において、
前記動作音は、前記被写体に対する焦点調節動作に伴って発生する音であること
を特徴とする撮像装置。
【発明の詳細な説明】
【技術分野】
【０００１】
本発明は、音声制御装置および撮像装置に関するものである。
【背景技術】
【０００２】
ビデオ撮影に無関係な動作で騒音が発生する場合において、騒音が発生する間だけアンプのゲインを下げる装置が存在する（例えば、特許文献１参照）。
【先行技術文献】
【特許文献】
【０００３】
【特許文献１】特開平８−９３１７号公報
【発明の概要】
【発明が解決しようとする課題】
【０００４】
しかし、この装置においては、騒音が発生する際に、アンプのゲインが下げられるため、記憶された音声信号においては、騒音のみならず通常音も低減される。
【０００５】
本発明の目的は、集音する際、筐体内の動作に伴う動作音を抑制することができる音声制御装置および撮像装置を提供することである。
【課題を解決するための手段】
【０００６】
本発明の音声制御装置は、音声を集音して第１音声信号を出力する第１集音部を有する筐体と、前記筐体内の動作に伴う動作音が発生するとき、前記第１音声信号のレベルを調整パラメータに基づいて所定レベル下げるとともに、前記筐体に装着される第２集音部から出力される第２音声信号に基づいて前記所定レベル分を補うよう調整する第１レベル調整部と、前記第２音声信号と前記第１レベル調整部により調整された前記第１音声信号とに基づいて出力信号を生成する出力信号生成部とを備えることを特徴とする。
【０００７】
本発明の撮像装置は、本発明の音声制御装置と、被写体を撮像して画像信号を出力する撮像部と、前記撮像部から出力される前記画像信号と、前記撮像部により撮像する際に前記音声制御装置により出力される前記出力信号とを関連付けて記録媒体に記録する記録手段とを備えることを特徴とする。
【発明の効果】
【０００８】
本発明によれば、集音する際、筐体内の動作に伴う動作音を抑制することができる。
【図面の簡単な説明】
【０００９】
【図１】実施の形態に係る電子カメラの外観を示す斜視図である。
【図２】実施の形態に係る電子カメラのシステム構成を示すブロック図である。
【図３】実施の形態に係るノイズ低減ＡＧＣの処理を示すフローチャートである。
【発明を実施するための形態】
【００１０】
以下、図面を参照して本発明の実施の形態に係るノイズ低減装置について電子カメラを例に説明する。図１は、実施の形態に係る電子カメラの外観を示す斜視図である。図１に示すように、電子カメラ２は、レンズマウント部（図示せず）に対して着脱可能なレンズユニット４を備えている。レンズユニット４は、複数枚のレンズを有しており、オートフォーカスを行う場合には、ＡＦモータ１８を駆動することにより一部のレンズを光軸方向に移動させる。また、電子カメラ２は、静止画像及び動画像を撮影する機能を備えており、電子カメラ２の前面の正面から見て右側には、動画像を撮影する際に、周囲環境の音を集音するモノラルマイクである内蔵マイク６が設けられている。また、電子カメラ２の側面には、内蔵マイク６と同様のモノラルマイクである外部マイク８を電子カメラ２に接続するための接続部１０が設けられており、外部マイク８は、ケーブル１２及び接続部１０を介して電子カメラ２に接続されている。また、カメラ２の上面には、画像（静止画像及び動画像）の撮影を指示する際に、操作されるレリーズボタン１６が設けられている。
【００１１】
図２は、実施の形態に係る電子カメラ２のシステム構成を示すブロック図である。図２に示すように、電子カメラ２はＣＰＵ２０を備え、ＣＰＵ２０には、内蔵マイク６、接続部１０を介して外部マイク８が接続されている。また、ＡＦモータ１８、レリーズボタン１６、撮影モードダイヤル、メニューボタン等が含まれる操作部２２、被写体光を撮像して撮像信号（蓄積電荷としてのアナログ信号）を生成するＣＣＤ或いはＣＭＯＳ等により構成される撮像素子２４、撮像素子２４から出力された撮像信号を図示しないＡ／Ｄ変換部においてＡ／Ｄ変換することにより生成された画像データ並びに内蔵マイク６及び外部マイク８から集音された音声信号に基づく音声データを記憶するバッファメモリ２６、バッファメモリ２６に記憶されている画像データに、ホワイトバランス調整、輪郭補償等の画像処理を行う画像処理部２８、画像ファイルを記憶するメモリカード３０が接続されている。
【００１２】
次に、図３に示すフローチャートを参照して、実施の形態に係る電子カメラ２により実施されるノイズ低減オートゲインコントロール（以下、ノイズ低減ＡＧＣという。）の処理について説明する。
【００１３】
まず、操作者によるメニューボタン等の操作により、内蔵マイク６及び外部マイク８を設置する左右の位置について設定される。この実施の形態では、動画像を撮影する際に、外部マイク８を電子カメラ２の右側に設置するため、外部マイク８により集音された音声が右音声（Ｒ）、内蔵マイクにより集音された音声が左音声（Ｌ）に設定される。また、操作者により、撮影モードダイヤルを用いて動画撮影モードが設定され、レリーズボタン１６が全押しされると、動画像の撮影が開始される。この動画の撮影においては、被写体の動きに応じて、ＡＦモータ１８を駆動してオートフォーカスが行われる。従って、ＣＰＵ２０は、ＡＦモータ１８を駆動するか否かを判定し（ステップＳ１１）、ＡＦモータ１８を駆動しない場合には、内蔵マイク６から入力した音声信号（以下、Ｌｉｎ）のレベルと外部マイク８から入力した音声信号（以下、Ｒｉｎ）のレベルとが略同一になるように調整する通常オートゲインコントロール（以下、通常ＡＧＣという。）を行う（ステップＳ１２）。一方、ＡＦモータ１８を駆動する場合には、ノイズ低減ＡＧＣを行う（ステップＳ１３）。即ち、ＣＰＵ２０は、ＡＦモータ１８を駆動する場合には、まず、ＬｉｎのレベルとＲｉｎのレベルとが略同一になるように調整する。そして、ＡＦモータ１８から発生する音に関して、予め設定された調整パラメータを用いて、ノイズ源であるＡＦモータ１８の近くに位置している内蔵マイク６から入力したＬｉｎのレベルを低減し、Ｌｉｎの低減量に基づき、ＬｉｎにＲｉｎの一部を加算する。従って、ノイズ低減ＡＧＣの処理が実施されたＬｉｎの出力信号（以下、Ｌｏｕｔ）は、
Ｌｏｕｔ＝ａ×Ｌｉｎ＋（１−ａ）×Ｒｉｎ
で表される。ここで、ａ（０＜ａ≦１）は調整パラメータである。また、Ｒｉｎの出力信号（以下、Ｒｏｕｔ）は、ノイズ低減ＡＧＣの処理が実施されないため、
Ｒｏｕｔ＝Ｒｉｎ
で表される。
【００１４】
そして、動画像の撮影が終了するまで、ステップＳ１１〜Ｓ１３の処理を繰り返す。撮影された動画像データ及び通常ＡＧＣまたはノイズ低減ＡＧＣの処理が実施された音声データは、所定の形式の動画ファイルとしてメモリカード３０に記憶される。
【００１５】
この実施の形態に係る電子カメラによれば、ＡＦモータの駆動時に、内蔵マイクから入力する入力信号のレベルを所定の調整パラメータに基づき低減させ、内蔵マイクの入力信号の低減量に基づいて外部マイクの入力信号を加算するため、内蔵マイク及び外部マイクを用いたステレオ録音の状態を維持しつつ、ノイズ源によるノイズ源を減少させて音声の記録を行うことができる。
【００１６】
なお、上述の実施の形態において、ＡＦモータ１８を駆動する際に、ＡＦモータ１８から発生する音量が変化する場合には、音量の変化に基づいて、ノイズ低減ＡＧＣの処理を実施してもよい。即ち、ＡＦモータ１８から発生する音の変化が予測可能な場合には、音の変化に応じた調整パラメータを予め設定しておき、この調整パラメータを用いて、ノイズ低減ＡＧＣの処理を実施するようにしてもよい。
【００１７】
また、上述の実施の形態において、ＡＦモータ１８以外から発生する音に対して、ノイズ低減ＡＧＣの処理を実施してもよい。即ち、ＡＦモータ１８以外から発生するノイズ音に関して、ノイズ音毎に予め調整パラメータを設定しておき、この調整パラメータを用いてノイズ低減ＡＧＣの処理を実施するようにしてもよい。
【００１８】
また、上述の実施の形態においては、電子カメラ２と外部マイク８とをケーブル１２で接続しているが、電子カメラ２と外部マイク８との間でＷｉＦｉ等の無線通信を行ってもよい。
【００１９】
また、上述の実施の形態においては、ノイズ低減ＡＧＣの処理を電子カメラ２において実施しているが、電子カメラ２以外の装置において実施してもよい。即ち、周囲環境の音を集音するモノラルマイクである内蔵マイク及び同様のモノラルマイクである外部マイクが設けられた装置を用いて、この装置から発生した音に基づいて、上述のノイズ低減ＡＧＣの処理を実施するようにしてもよい。
【符号の説明】
【００２０】
２…電子カメラ、６…内蔵マイク、８…外部マイク、１０…接続部、１８…ＡＦモータ、２０…ＣＰＵ、２２…操作部、２８…メモリカード。
【図１】
2011109650.tif 000003
【図２】
2011109650.tif 000004
【図３】
2011109650.tif 000005